(57)【特許請求の範囲】
【請求項１】
発変電所等の停電作業時に、作業用の乙アース（２）をその発変電所等の現場機器（３）に取り付け、該乙アース（２）を番号で管理すると共に、該乙アース（２）の付け外しを確認する作業用乙アース付け外し確認方法であって、
前記現場機器（３）に取り付ける乙アース（２）と、これと同じ番号の乙アース番号札（４）と、これと同一番号を有し、その寸法が該乙アース番号札（４）より小さい乙アース番号合札（５）とをセットとして用い、
前記現場機器（３）の必要箇所に、前記乙アース（２）を乙アースフックで取り付け、同時に、この乙アース（２）と同じ番号の前記乙アース番号札（４）のみを掛け止め、
前記掛け止められた乙アース番号札（４）と同一番号を有する乙アース番号合札（５）は、作業員が配電盤室へ持ち帰り、前記現場機器（３）全体の結線状態を略記号で表現した所内結線表示板（１）における現場機器（３）と同じ位置に掛け止め、
前記現場機器（３）の操作終了後に、前記所内結線表示板（１）から外した乙アース番号合札（５）を、前記現場機器（３）に取り付けた乙アース番号札（４）と目視による番号照合し、該現場機器（３）から乙アース（２）を外すことにより、作業員の誤認による乙アース（２）の外し忘れを管理する、ことを特徴とする作業用乙アース付け外し確認方法。
【請求項２】
発変電所等の停電作業時に、作業用の乙アース（２）をその発変電所等の現場機器（３）に取り付け、該乙アース（２）を番号で管理すると共に、該乙アース（２）の付け外しを確認する作業用乙アース付け外し確認用アース札であって、
前記乙アース（２）が乙アースフックで取り付けられた現場機器（３）の必要箇所に、着脱自在に掛け止める掛止め具（６）を具備した該乙アース（２）と同じ番号を付し乙アース番号札（４）と、
前記乙アース番号札（４）と同一番号を有し、その寸法が該乙アース番号札（４）より小さい乙アース番号合札（５）と、を備え、
前記乙アース番号合札（５）は、前記乙アース番号札（４）の一部に着脱自在に取り付けられ、前記現場機器（３）全体の結線状態を略記号で表現した所内結線表示板（１）における現場機器（３）と同じ位置に、前記乙アース（２）が取り付けられていることを確認し得るように、乙アース番号札（４）から分離して乙アース番号合札（５）を、該所内
結線表示板（１）の該当位置に掛け止めるように構成した、ことを特徴とする作業用乙アース付け外し確認用アース札。
【請求項３】
前記乙アース番号札（４）の一部に、磁石吸引により前記乙アース番号合札（５）を着脱自在に取り付ける、ことを特徴とする請求項２の作業用乙アース付け外し確認用アース札。
【請求項４】
前記乙アース番号札（４）に形成した段差部（９）に、磁石吸引により前記乙アース番号合札（５）を着脱自在に取り付ける、ことを特徴とする請求項３の作業用乙アース付け外し確認用アース札。
【請求項５】
前記乙アース番号札（４）の一部に透明ケース（１１）を設け、該透明ケース（１１）内に前記乙アース番号合札（５）を挿抜自在に取り付ける、ことを特徴とする請求項２の作業用乙アース付け外し確認用アース札。
【請求項６】
前記乙アース番号札（４）の一部に透明ケース（１１）を設け、該透明ケース（１１）内に前記乙アース番号合札（５）を磁石吸引により着脱自在に取り付ける、ことを特徴とする請求項５の作業用乙アース付け外し確認用アース札。
【請求項７】
前記乙アース番号札（４）の一部に機器ごとに固有の配置になる複数本のピン（１２）を設け、これらの複数本のピン（１２）と嵌合するように前記乙アース番号合札（５）に複数の挿通孔（１３）を配置した、ことを特徴とする請求項２の作業用乙アース付け外し確認用アース札。
【請求項８】
前記乙アース番号札（４）に磁石吸引により前記乙アース番号合札（５）を着脱自在に取り付ける、ことを特徴とする請求項７の作業用乙アース付け外し確認用アース札。
【発明の詳細な説明】
【技術分野】
【０００１】
本発明は、発変電所等の停電作業時に、現場機器に取り付ける作業用の乙ア−スに係り、特に乙ア−スの付け外しを確認することができる作業用乙アース付け外し確認方法及びその確認用アース札に関する。
【背景技術】
【０００２】
発変電所等の停電作業時に、作業用の乙ア−スを現場機器に取り付けている。この乙ア−スを現場機器に取り付け、作業完了後に乙ア−スを外したかどうかを確認する付け外しの管理方法としては、機器操作の手順を機器名称及び英数字等の番号で記載した「操作票」及び作業確認票を用いて確認とその管理する方法がある。
【０００３】
このように発変電所等における停電作業に応じて作業用接地の確認を容易に行う技術が種々提案されている。例えば、特許文献１の特開平１１−３５３９８２号公報「接地確認装置」に示すように、電動モータの駆動にて出力軸が所定角度反転して入・切操作を行う断路器に設けられ、作業用接地の確認を行う接地確認装置であって、前記出力軸に固着さ
れたストッパと、前記出力軸の近傍に配置された接地用アース導体とを有し、前記作業用接地で前記接地用アース導体に接地金具が取り付けられた時、この接地金具に前記ストッパが当接し、前記出力軸の反転を阻止する接地確認装置が提案されている。
【特許文献１】特開平１１−３５３９８２号
【０００４】
同様に、特許文献２の特開平号公報「接地確認装置」に示すように、シリンダの駆動にて回動する出力軸と、この出力軸に連結され前記出力軸の回動にて揺動する揺動部材と、この揺動部材に作動連結された操作連結部とを有し、かつ前記揺動部材の揺動にて前記操作連結部を介して入・切操作を行う断路器に設けられ、作業用接地の確認を行う接地確認装置であって、前記操作連結部に固着されたストッパと、前記操作連結部の近傍に配置された接地用アース導体とを有し、前記作業用接地で前記接地用アース導体に接地金具が取り付けられた時、この接地金具に前記ストッパが当接し、前記出力軸の回動を阻止する接地確認装置が提案されている。
【特許文献１】特開２０００−３４００７３
【発明の開示】
【発明が解決しようとする課題】
【０００５】
しかし、上述した操作票や作業確認票では、現場機器の名称及び番号は似ているものが多く、かつその配置が複雑で、発変電所構内では停電範囲が正確に認識できず、外す必要がある乙アースと、外す必要がない乙アースの判別が困難であった。そこで、このような乙アースの外し忘れによる電気事故又は誤って外したことによる不安全状態になりやすいという問題を有していた。また、誘導による感電事故の原因につながりやすいという問題を有していた。
【０００６】
特許文献１の「接地確認装置」、特許文献２の「接地確認装置」は、何れもアース付けを確実に行い，機器の誤操作による感電防止をするものであり，外し忘れによる電気事故には対応できなかった。
【０００７】
本発明は、かかる問題点を解決するために創案されたものである。すなわち、本発明の目的は、乙アースを番号札で管理することで、現場機器を改造することなく、現場機器における乙アースの付け外しを確実に管理することができる作業用乙アース付け外し確認方法及びその確認用アース札を提供することにある。
【課題を解決するための手段】
【０００８】
本発明の確認方法は、発変電所等の停電作業時に、作業用の乙アース（２）をその発変電所等の現場機器（３）に取り付け、該乙アース（２）を番号で管理すると共に、該乙アース（２）の付け外しを確認する作業用乙アース付け外し確認方法であって、前記現場機器（３）に取り付ける乙アース（２）と、これと同じ番号の乙アース番号札（４）と、これと同一番号を有し、その寸法が該乙アース番号札（４）より小さい乙アース番号合札（５）とをセットとして用い、前記現場機器（３）の必要箇所に、前記乙アース（２）を乙アースフックで取り付け、同時に、この乙アース（２）と同じ番号の前記乙アース番号札（４）のみを掛け止め、前記掛け止められた乙アース番号札（４）と同一番号を有する乙アース番号合札（５）は、作業員が配電盤室へ持ち帰り、前記現場機器（３）全体の結線状態を略記号で表現した所内結線表示板（１）における現場機器（３）と同じ位置に掛け止め、前記現場機器（３）の操作終了後に、前記所内結線表示板（１）から外した乙アース番号合札（５）を、前記現場機器（３）に取り付けた乙アース番号札（４）と目視による番号照合し、該現場機器（３）から乙アース（２）を外すことにより、作業員の誤認による乙アース（２）の外し忘れを管理する、ことを特徴とする。
【０００９】
本発明の確認用アース札は、発変電所等の停電作業時に、作業用の乙アース（２）をそ
の発変電所等の現場機器（３）に取り付け、該乙アース（２）を番号で管理すると共に、該乙アース（２）の付け外しを確認する作業用乙アース付け外し確認用アース札であって、前記乙アース（２）が乙アースフックで取り付けられた現場機器（３）の必要箇所に、着脱自在に掛け止める掛止め具（６）を具備した該乙アース（２）と同じ番号を付し乙アース番号札（４）と、前記乙アース番号札（４）と同一番号を有し、その寸法が該乙アース番号札（４）より小さい乙アース番号合札（５）と、を備え、前記乙アース番号合札（５）は、前記乙アース番号札（４）の一部に着脱自在に取り付けられ、前記現場機器（３）全体の結線状態を略記号で表現した所内結線表示板（１）における現場機器（３）と同じ位置に、前記乙アース（２）が取り付けられていることを確認し得るように、乙アース番号札（４）から分離して乙アース番号合札（５）を、該所内結線表示板（１）の該当位置に掛け止めるように構成した、ことを特徴とする。
例えば、前記乙アース番号札（４）の一部に、磁石吸引により前記乙アース番号合札（５）を着脱自在に取り付けたものが好ましい。
前記乙アース番号札（４）に形成した段差部（９）に、磁石吸引により前記乙アース番号合札（５）を着脱自在に取り付けたものが好ましい。
【００１０】
前記乙アース番号札（４）の一部に透明ケース（１１）を設け、該透明ケース（１１）内に前記乙アース番号合札（５）を挿抜自在に取り付けたものが好ましい。
前記乙アース番号札（４）の一部に透明ケース（１１）を設け、該透明ケース（１１）内に前記乙アース番号合札（５）を磁石吸引により着脱自在に取り付けたものが好ましい。
【００１１】
前記乙アース番号札（４）の一部に機器ごとに固有の配置になる複数本のピン（１２）を設け、これらの複数本のピン（１２）と嵌合するように前記乙アース番号合札（５）に複数の挿通孔（１３）を配置したものが好ましい。
前記乙アース番号札（４）に磁石吸引により前記乙アース番号合札（５）を着脱自在に取り付けることが好ましい。
【発明の効果】
【００１２】
上記構成の確認方法では、現場機器（３）を改造せず、作業用乙アース（２）と同じ番号の乙アース番号札（４）と、これと同一番号を有する乙アース番号合札（５）とをセットで使用することで、現場機器（３）に取り付けた乙アース（２）について、乙アース番号札（４）及び同一番号の乙アース番号合札（５）で管理することにより、誤認による外しや外し忘れを防止し、作業員のミスを未然に防止することができる。
【００１３】
上記構成の確認用アース札では、乙アース番号札（４）から、これと同一番号を有し、その寸法が該乙アース番号札（４）より小さい乙アース番号合札（５）が離脱しないようにセットになっているので、番号管理する乙アース（２）の現場機器（３）と所内結線表示板（１）に掛け止める際に、作業員は容易に確認作業することができる。また、磁石吸引によれば乙アース番号合札（５）を乙アース番号札（４）に容易に吸着させ、また簡単に乙アース番号札（４）から容易に外すことができるので、作業者の負担にならない。
【００１４】
更に、乙アース番号札（４）の一部に形成した段差部（９）に、磁石吸引により乙アース番号合札（５）を着脱自在に取り付けたものでも、乙アース番号札（４）と乙アース番号合札（５）とが分離しないので作業員は容易に持ち運ぶことができる。
【発明を実施するための最良の形態】
【００１５】
本発明の作業用乙アース付け外し確認方法は、発変電所等の停電作業時に、作業用の乙ア−スを現場機器に取り付け、この乙ア−スを番号で管理すると共に，その付け外しを確認する方法である。
【実施例１】
【００１６】
以下、本発明の好ましい実施の形態を図面を参照して説明する。
図１は本発明の実施例１の作業用乙アース付け外し確認方法の手順「乙アース付け前の状態」を説明する説明図である。この図１から図４までは、図面の左側に配電盤室の所内結線表示板１を示し、右側にこの配電盤室とは離れた位置にある現場機器２の状態を概略的に示すものである。
「乙アース付け前状態」
先ず、図１に示すように、所内結線表示板１において、乙アース２を取り付ける位置を確認する。この所内結線表示板１は、現場機器３全体の結線状態を略記号で表現した表示板である。例えば、所内結線表示板１における、「１０１」と「１０１Ｂ」との間に取り付ける乙アース２の番号は「１」番とする。同様に、「１０１Ｌ」と「１０１」との間に取り付ける乙アース２の番号は「２」番とする。
【００１７】
作業員は確認用アース札セットを準備する。この確認用アース札セットは、乙アース２と同じ番号の乙アース番号札４と、これと同一番号を有し、その寸法は乙アース番号札４より小さい乙アース番号合札５とがセットになったものである。次に、現場機器３へ２組の乙アース２の乙アースフックと、該当番号の「確認用アース札セット」を持って移動する。乙アース番号札４は、上述した乙アース２の乙アースフックと共に、掛け止めるように、例えばリング状のひものような掛止め具６を具備したものである。
【００１８】
図２は本発明の実施例１の作業用乙アース付け外し確認方法の手順「乙アース付け操作時」を説明する説明図である。
「乙アース付け操作時」
確認用アース札セットを持った作業員は、現場機器３の「１０１」と「１０１Ｂ」との間に、乙アース２の乙アースフックを取り付ける。同時に、このアースフックのアース側端子へ該当番号(ここでは「１」番)の乙アース番号札４を取り付ける。同様に、現場機器３の「１０１Ｌ」と「１０１」との間に、乙アース２の乙アースフックを取り付ける。同時に、このアースフックのアース側端子へ該当番号(ここでは「２」番)の乙アース番号札４を取り付ける。
乙アース２を現場機器３に取り付けた作業員は、乙アース番号合札５を持って配電盤室へ帰る。
【００１９】
図３は本発明の実施例１の作業用乙アース付け外し確認方法の手順「乙アース付け後のアース番号合札取付時」を説明する説明図である。
「乙アース付け後のアース番号合札取付時」
乙アース番号合札５を持って配電盤室へ帰った作業員は、所内結線表示板１における、現場機器３と同じ位置へ乙アース番号合札５を掛け止める。これにより、現在どの現場機器３に乙アース２を取り付けているかについて配電盤室において確認することができる。即ち、乙アース番号合札５は、乙アース番号札４と同一番号を有するので、この乙アース番号合札５を所内結線表示板１に掛け止めることにより、該当するアース取付機器を確認し得ることができる。
【００２０】
図４は本発明の実施例１の作業用乙アース付け外し確認方法の手順「乙アース付け外し確認時」を説明する説明図である。
「乙アース付け外し確認時」
乙アース外し時は、上述した手順と逆の手順で作業する。配電盤室の所内結線表示板１に掛け止められている該当番号の乙アース番号合札５を現場に持って行き、現場機器３に掛け止められている乙アース番号札４と目視による番号照合により同一番号の乙アース２のみを現場機器３から外す。この場合、必ず付けた乙アース２の数と外す乙アース２の数
が同一ではないので、照合操作が必要となる。これにより、現場機器３の操作終了後に、所内結線表示板１からは外した乙アース番号合札５を、現場機器３に取り付けた乙アース番号札４と目視による番号照合をすることで、作業員の誤認による外し忘れを管理することができる。
【実施例２】
【００２１】
図５は実施例２の乙アース番号札と乙アース番号合札とを示すものであり、（ａ）は乙アース番号札と乙アース番号合札とを一体化した状態の正面図、（ｂ）は乙アース番号札から乙アース番号合札を分離した状態の正面図、（ｃ）は乙アース番号合札の背面図である。
乙アース番号合札５は、乙アース番号札４と分離している。作業員は別々に持ち歩くこととなり、分離して保管することとなる。乙アース番号合札５は小さく、乙アース番号札４と一体となっていないので、紛失することがあり、運搬・保管が難しかった。
そこで、実施例２では、乙アース番号札４の一部に、磁石吸引により乙アース番号合札５を着脱自在に取り付け、乙アース番号合札５が乙アース番号札４から分離しないように構成した。即ち、乙アース番号合札５の裏面に磁性を有するシート状の磁石７を貼り付ける。一方、乙アース番号札４の一部に鉄製、ニッケル製の磁石吸引板８を貼り付ける。この磁石吸引板８は乙アース番号札４の軽量化を目的するので薄膜が好ましい。なお、この磁石吸引板８を貼り付けるために、乙アース番号札４には段差部９を形成した。
なお、逆に乙アース番号札４に磁石７を、乙アース番号合札５に磁石吸引板８を貼り付けることも可能である。更に、磁石７はシート状のものに限定されず、点状のものを貼り付けることも可能である。
【００２２】
図６は実施例２の乙アース番号札と乙アース番号合札の他の実施例を示すものであり、（ａ）は乙アース番号札と乙アース番号合札を一体化した状態の正面図、（ｂ）は乙アース番号札から乙アース番号合札を分離した状態の正面図、（ｃ）は乙アース番号札の縦断面図である。
上述した図５の図示例では、この段差部９を、乙アース番号札４表面の右側の角部に形成したものを表示した。この段差部９又は磁石吸引板８を貼り付ける位置は、この角部に限定されず、図６に示すように、乙アース番号札４の周縁の中間に段差部９を形成することも可能である。
【実施例３】
【００２３】
図７は実施例３の乙アース番号札と乙アース番号合札とを示すものであり、（ａ）は乙アース番号札と乙アース番号合札を一体化した状態の正面図、（ｂ）は乙アース番号札から乙アース番号合札を分離した状態の正面図、（ｃ）は乙アース番号札の縦断面図である。
実施例３の乙アース番号札４は、実施例２の変形例である。乙アース番号合札５を一体化する場所を、乙アース番号札４の角部又は周縁にすると、簡単な衝撃で乙アース番号札４から簡単に分離しやすい。そこで、乙アース番号札４表面の内側（周縁以外の場所）に乙アース番号合札５を貼り付けられるように凹部１０を形成した。この凹部１０内に磁石吸引板８を貼り付ける。これにより、横からの衝撃に強く、横滑りしないので、実施例２の乙アース番号札４より脱落防止効果が高くなる。
【実施例４】
【００２４】
図８は実施例４の乙アース番号札と乙アース番号合札とを示すものであり、（ａ）は乙アース番号札と乙アース番号合札を一体化した状態の正面図、（ｂ）は乙アース番号札から乙アース番号合札を分離した状態の正面図、（ｃ）は乙アース番号札の縦断面図である。
実施例４の乙アース番号札４は、乙アース番号合札５を収納するために透明ケース１１
を形成したものである。この透明ケース１１は、その内部寸法が乙アース番号合札５の外径寸法と略一致するようになっている。このような透明ケース１１でも、乙アース番号合札５の脱落を防止することができる。
【実施例５】
【００２５】
図９は実施例５の乙アース番号札と乙アース番号合札とを示すものであり、（ａ）は乙アース番号札と乙アース番号合札を一体化した状態の正面図、（ｂ）は乙アース番号札から乙アース番号合札を分離した状態の正面図、（ｃ）は乙アース番号札の縦断面図である。
実施例５の乙アース番号札４は、実施例４の変形例である。乙アース番号合札５を収納する透明ケース１１の場所を、乙アース番号札４の角部にすると、簡単な衝撃でこの透明ケース１１が破損することがある。そこで、乙アース番号札４の角部以外の場所に透明ケース１１を形成した。この場所に形成した透明ケース１１であれば、乙アース番号札４が落下しても簡単に透明ケース１１は破損しない。
【実施例６】
【００２６】
図１０は実施例６の乙アース番号札と乙アース番号合札とを示すものであり、（ａ）は乙アース番号札と乙アース番号合札を一体化した状態の正面図、（ｂ）は乙アース番号札から乙アース番号合札を分離した状態の正面図、（ｃ）は乙アース番号合札の背面図である。
実施例６では、乙アース番号札４の一部に機器ごとに固有の配置になる複数本のピン１２を設け、これらの複数本のピン１２と嵌合するように乙アース番号合札５に複数の挿通孔１３を配置したものである。このように乙アース番号合札５をタブレットのように構成することで、乙アース番号合札５の落下を確実に防止できる。なお、この挿通孔１３の数は３箇所に限定されない。同様に、ピン１２の本数も３本に限定されない。
【００２７】
更に、乙アース番号合札５に点状の合札用磁石１４を設け、乙アース番号札４に点状の磁石吸引板１５を設ける。あるいは、この乙アース番号合札５の裏面に磁性を有するシート状の磁石を貼り付け、一方、乙アース番号札４の段差部の全面に磁石吸引板を貼り付けることも可能である。
【００２８】
なお、本発明は、乙アースを番号札で管理することで、現場機器を改造することなく、現場機器における乙アースの付け外しを確実に管理することができれば、上述した発明の実施の形態に限定されず、本発明の要旨を逸脱しない範囲で種々変更できることは勿論である。
【産業上の利用可能性】
【００２９】
本発明の作業用乙アース付け外し確認方法及びその確認用アース札は、発変電所の現場機器操作する際に利用することができるが、所内結線表示板と現場の機器とを関連付けて操作する作業であれば乙アースの付け外しの確認以外の確認、管理作業方法として利用することができる。
【図面の簡単な説明】
【００３０】
【図１】本発明の実施例１の作業用乙アース付け外し確認方法の手順「乙アース付け前の状態」を説明する説明図である。
【図２】本発明の実施例１の作業用乙アース付け外し確認方法の手順「乙アース付け操作時」を説明する説明図である。
【図３】本発明の実施例１の作業用乙アース付け外し確認方法の手順「乙アース付け後のアース番号合札取付時」を説明する説明図である。
【図４】本発明の実施例１の作業用乙アース付け外し確認方法の手順「乙アース付け外し確認時」を説明する説明図である。
【図５】実施例２の乙アース番号札と乙アース番号合札とを示すものであり、（ａ）は乙アース番号札と乙アース番号合札とを一体化した状態の正面図、（ｂ）は乙アース番号札から乙アース番号札を分離した状態の正面図、（ｃ）は乙アース番号合札の背面図である。
【図６】実施例２の乙アース番号札と乙アース番号合札の他の実施例を示すものであり、（ａ）は乙アース番号札と乙アース番号合札を一体化した状態の正面図、（ｂ）は乙アース番号札から乙アース番号合札を分離した状態の正面図、（ｃ）は乙アース番号札の縦断面図である。
【図７】実施例３の乙アース番号札と乙アース番号合札とを示すものであり、（ａ）は乙アース番号札と乙アース番号合札を一体化した状態の正面図、（ｂ）は乙アース番号札から乙アース番号合札を分離した状態の正面図、（ｃ）は乙アース番号札の縦断面図である。
【図８】実施例４の乙アース番号札と乙アース番号合札とを示すものであり、（ａ）は乙アース番号札と乙アース番号合札を一体化した状態の正面図、（ｂ）は乙アース番号札から乙アース番号合札を分離した状態の正面図、（ｃ）は乙アース番号札の縦断面図である。
【図９】実施例５の乙アース番号札と乙アース番号合札とを示すものであり、（ａ）は乙アース番号札と乙アース番号合札を一体化した状態の正面図、（ｂ）は乙アース番号札から乙アース番号合札を分離した状態の正面図、（ｃ）は乙アース番号札の縦断面図である。
【図１０】実施例６の乙アース番号札と乙アース番号合札とを示すものであり、（ａ）は乙アース番号札と乙アース番号合札を一体化した状態の正面図、（ｂ）は乙アース番号札から乙アース番号合札を分離した状態の正面図、（ｃ）は乙アース番号合札の背面図である。
【符号の説明】
【００３１】
１ 所内結線表示板
２ 乙アース
３ 現場機器
４ 乙アース番号札
５ 乙アース番号合札
７ 磁石
８ 磁石吸引板
９ 段差部
１０ 凹部
１１ 透明ケース
１２ ピン
１３ 挿通孔
【図１】
0004637768.tif 000002
【図２】
0004637768.tif 000003
【図３】
0004637768.tif 000004
【図４】
0004637768.tif 000005
【図５】
0004637768.tif 000006
【図６】
0004637768.tif 000007
【図７】
0004637768.tif 000008
【図８】
0004637768.tif 000009
【図９】
0004637768.tif 000010
【図１０】
0004637768.tif 000011